(57)【要約】【課題】極めて簡単な構成により、必要に応じてコンタクトガラスを取外しでき、コンタクトガラス内面および筐体内にあるセンサーや駆動機構などを簡単に清掃することができる原稿読取装置を提供することを目的とする。【解決手段】原稿を載置するコンタクトガラス１を備えた原稿載置台２を有し、前記原稿を前記コンタクトガラス１上に位置決めし、前記原稿を筐体３内に収納したセンサーにより読み取る原稿読取装置において、前記筐体３の両側面３２内側に略断面コ字状の溝３３を形成し、前記コンタクトガラス１を挟持するとともに、前記筐体３の前面３１に取外し可能な蓋４を設け、この蓋４の内面に設けられ、前記略断面コ字状の溝３３に嵌合する三角状の突起部４２により前記コンタクトガラス１の前面側コーナー部分１１を押圧する。【選択図】図１
2004343185.tif 000002
【特許請求の範囲】
【請求項１】
原稿を載置するコンタクトガラスを備えた原稿載置台を有し、前記原稿を前記コンタクトガラス上に位置決めし、前記原稿を筐体内に収納したセンサーにより読み取る原稿読取装置において、
前記筐体の両側面内側に略断面コ字状の溝を形成し、前記コンタクトガラスを挟持するとともに、前記筐体の前面に取外し可能な蓋を設け、この蓋の内面に設けられ、前記略断面コ字状の溝に嵌合する三角状の突起部により前記コンタクトガラスの前面側コーナー部分を押圧してなることを特徴とする原稿読取装置。
【請求項２】
原稿を載置するコンタクトガラスを備えた原稿載置台を有し、前記原稿を前記コンタクトガラス上に位置決めし、前記原稿を筐体内に収納したセンサーにより読み取る原稿読取装置において、
前記筐体の両側面内側に略断面コ字状の溝を形成し、前記コンタクトガラスを挟持するとともに、前記筐体の前面に蓋を設け、前記コンタクトガラスを取外しできるように構成したことを特徴とする原稿読取装置。
【請求項３】
原稿を載置するコンタクトガラスを備えた原稿載置台を有し、前記原稿を前記コンタクトガラス上に位置決めし、前記原稿を筐体内に収納したセンサーにより読み取る原稿読取装置において、
前記筐体の両側面内側に略断面コ字状の溝を形成し、前記コンタクトガラスを挟持するとともに、前記筐体の前面に開閉可能な蓋を設け、この蓋の内面に設けられ、前記略断面コ字状の溝に嵌合する弾性機能を有する突起部により前記コンタクトガラスの前面側コーナー部分を押圧してなることを特徴とする原稿読取装置。
【請求項４】
前記蓋の内面上部に前記筐体の内側に係合する係合部を、また内面下部に前記筐体の内側に係止する係止部を形成したことを特徴とする請求項１乃至請求項３のいずれか１つに記載の原稿読取装置。
【請求項５】
前記蓋の内面に補強リブを形成したことを特徴とする請求項１乃至請求項４のいずれか１つに記載の原稿読取装置。
【発明の詳細な説明】
【０００１】
【発明の属する技術分野】本発明は、フラッドベットのイメージスキャナーなどに用いられる原稿読取装置に関し、特にコンタクトガラスの内面や筐体内部に収納されたセンサーなどの清掃を容易に行えるようにしたものである。
【０００２】
【従来の技術】周知の通り、フラットベッドのイメージスキャナーなどに用いられる原稿読取装置にあっては、コンタクトガラス上に載置された原稿を読み取るセンサーやこのセンサーを駆動する駆動機構を収納した筐体は、極力密閉構造に構成され、外部から塵埃などが入りにくい構造となっている。
【０００３】しかし、筐体には、操作ボタンや電源スイッチが設けられてあり、また嵌合部分があることから長期間の使用や、使用する環境によっては、筐体内に塵埃が入り、コンタクトガラス内面やセンサーに付着し、これに起因して読み込んだ画像に塵埃などが写し込まれたり、ときには前記駆動機構の故障の要因とるなどといった不都合があった。
【０００４】ところで、上述の点を考慮して従来では、例えばサイズ指示板の下面に突起部を形成し，筐体の上面に前記サイズ指示板を取り付けた時の前記突起部に対応する位置に凹部を形成し、前記サイズ指示板の突起物を筐体上面の前記凹部に嵌合させた状態で，前記筐体上面に載置されたコンタクトガラスの縁部上面と前記サイズ指示板の下面とを両面テープで接着し、前記サイズ指示板のエッジ近傍をカバーで覆い、ネジなどを用いて固定したものがある（例えば、特許文献１参照）。
【０００５】
【特許文献１】
特開２００１−１４２１５７号公報
【０００６】
【発明が解決しようとする課題】しかし、前述の特許文献１記載の構成では、万一、筐体内に塵埃が入り、コンタクトガラス内面やセンサーに付着し、これを清掃する場合、先ずドライバーなどの工具を用いて前記カバーを固定するネジを外してカバー取除き、その後、両面テープで接着されたコンタクトガラスとサイズ指示板とを一緒に、筐体の凹部に嵌合された前記サイズ指示板の突起物を取外さなければならない。従って、その作業が極めて煩雑ある外、この作業によりコンタクトガラスとサイズ指示板との接着が外れることがあり、このような場合、清掃後接着しなおさなければならない。また、清掃後の組立ても工場での作業と同様の精度が必要であり、簡単に一般ユーザーが筐体内の清掃を実施することが出来ない、などといった課題がある。
【０００７】本発明は、上述した問題を解決するためになされたものであり、極めて簡単な構成により、必要に応じてコンタクトガラスを取外しでき、コンタクトガラス内面および筐体内にあるセンサーや駆動機構などを簡単に清掃することができる原稿読取装置を提供することを目的とする。
【０００８】
【課題を解決するための手段】かかる目的を達成するため、請求項１記載の発明では、原稿を載置するコンタクトガラスを備えた原稿載置台を有し、前記原稿を前記コンタクトガラス上に位置決めし、前記原稿を筐体内に収納したセンサーにより読み取る原稿読取装置において、前記筐体の両側面内側に略断面コ字状の溝を形成し、前記コンタクトガラスを挟持するとともに、前記筐体の前面に取外し可能な蓋を設け、この蓋の内面に設けられ、前記略断面コ字状の溝に嵌合する三角状の突起部により前記コンタクトガラスの前面側コーナー部分を押圧する。
【０００９】請求項１記載の発明の構成によれば、万一、筐体内に塵埃が入り、コンタクトガラス内面およびセンサーや駆動機構などを清掃する場合、筐体の前面に設けられた蓋を取外し、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、簡単に三角状の突起部によりコンタクトガラスのコーナー部分が押圧され、元の状態に復元することができる。従って、簡単に一般ユーザーが筐体内の清掃を実施することができる。また、その構成は、筐体前面に蓋を設けるのみであり、極めて簡単である。
【００１０】請求項２記載の発明では、原稿を載置するコンタクトガラスを備えた原稿載置台を有し、前記原稿を前記コンタクトガラス上に位置決めし、前記原稿を筐体内に収納したセンサーにより読み取る原稿読取装置において、前記筐体の両側面内側に略断面コ字状の溝を形成し、前記コンタクトガラスを挟持するとともに、前記筐体の前面に蓋を設け、前記コンタクトガラスを取外しできるように構成する。
【００１１】請求項２記載の発明の構成によれば、万一、筐体内に塵埃が入り、コンタクトガラス内面およびセンサーや駆動機構などを清掃する場合、筐体の前面に設けられた蓋を開き、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、元の状態に復元することができる。従って、簡単に一般ユーザーが筐体内の清掃を実施することができる。また、その構成は、筐体前面に蓋を設けるのみであり、極めて簡単である。
【００１２】請求項３記載の発明では、原稿を載置するコンタクトガラスを備えた原稿載置台を有し、前記原稿を前記コンタクトガラス上に位置決めし、前記原稿を筐体内に収納したセンサーにより読み取る原稿読取装置において、前記筐体の両側面内側に略断面コ字状の溝を形成し、前記コンタクトガラスを挟持するとともに、前記筐体の前面に開閉可能な蓋を設け、この蓋の内面に設けられ、前記略断面コ字状の溝に嵌合する弾性機能を有する突起部により前記コンタクトガラスの前面側コーナー部分を押圧するように形成する。
【００１３】請求項３記載の発明の構成によれば、万一、筐体内に塵埃が入り、コンタクトガラス内面およびセンサーや駆動機構などを清掃する場合、筐体の前面に設けられた蓋を取外し、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、簡単に弾性機能を有する突起部によりコンタクトガラスのコーナー部分が適当な押圧力により押圧され、元の状態に復元することができる。従って、殊更に押圧力を考慮することなく、簡単に一般ユーザーが筐体内の清掃を実施することができる。また、その構成は、筐体前面に蓋を設けるのみであり、極めて簡単である。
【００１４】請求項４記載の発明では、前記蓋の内面上部に前記筐体の内側に係合する係合部を、内面下部に前記筐体の内側に係止する係止部を形成する。
【００１５】請求項４記載の発明の構成によれば、ドライバー等の工具は一切不要である外、原稿読取領域を考慮することなく筐体の内側に係止する係止部を設けることが出来、この種設計上極めて有益である。
【００１６】請求項５記載の発明では、前記蓋の内面に補強リブを形成する。
【００１７】請求項５記載の発明の構成によれば、補強リブにより蓋の強度が増し、一般ユーザーが特別考慮することなく開閉しても損傷するこがなく、都合がよい。
【００１８】
【発明の実施の形態】以下、本発明の一実施の形態を図１乃至図１０に基づき説明する。図１は本発明の一実施の形態による原稿読取装置の概略構成を示す斜視図、図２は図１示す原稿読取装置の筐体の正面図、図３は同じく図１示す原稿読取装置の筐体の一部分を示す断面図、図４は同じく図１示す原稿読取装置の筐体の一部分を示す斜視図、図５は同じく図１示す原稿読取装置の蓋の一例を示す平面図、図６は図５に示す蓋の背面図、図７は同じく図５に示す蓋の側面図、図８は筐体と蓋との係合部分を示す部分拡大断面図、図９は筐体と蓋との係止部分を示す部分拡大断面図、図１０は蓋に形成された三角状の突起部とコンタクトガラスのコーナー部との関係を示す図である。
【００１９】この原稿読取装置は、図示しない原稿を載置するコンタクトガラス１を備えた原稿載置台２と、前記原稿を読み取る図示しないセンサーやこのセンサーを駆動する駆動機構を収納した合成樹脂製の筐体３と、この筐体３の前面３１に設けられた合成樹脂製の蓋４とを備えている。５は、前記原稿の上から被せる合成樹脂製の押さえカバー、６は、原稿の位置決め基準や原稿のサイズに応じた目盛が刻まれたサイズ指示板である。なお、筐体３に通常設けられる操作ボタンや電源スイッチなどは、図示を省略してある。
【００２０】前記筐体３の両側面３２内側には、図２乃至図４に示すように略断面コ字状の溝３３が形成されてあり、この溝３３に前記コンタクトガラス１が前記筐体３の前面３１側から挿入され挟持されている。図示しないが、前記筐体３の背面内側にも略断面コ字状の溝を形成し、コンタクトガラス１の背面側を挿入するようにしても良い。このようにすれば、コンタクトガラス１と筐体３との隙間がなくなりより密閉性が向上し好ましい。
【００２１】前記筐体３の前面３１に設けられる蓋４の内面４１には、図５および図１０に示すように前記略断面コ字状の溝３３に嵌合する三角状の突起部４２が形成され、この三角状の突起部４２により前記コンタクトガラス１の前面側コーナー１１部分を押圧するように構成されている。
【００２２】前記蓋４の内面４１の上部には、前記筐体３の内側に係合する係合部４３が、また蓋４の内面４１の下部には、前記筐体３の内側に係止する弾性を備えた鉤状の係止部４４が形成され、蓋４が取外し可能に構成されている。前記鉤状の係止部４４は、蓋４の内面４１に一体的に形成されたＵ字状の基体部４５の上部に一体的に樹脂成形時に形成することにより弾性を持たせてある。従って、蓋４の前記係合部４３を筐体３の内側に係合するとともに、前記鉤状の係止部４４を前面３１側から押さえ込むようにして筐体３の内側に挿入・係止すれば、筐体３内は、密閉構造となる。また、筐体３の蓋４に対応する外周部分の一部に落とし込み部分３４を形成し、前記蓋４を閉じた状態で、筐体３の前面３１と蓋４の前面４６とが面一となるように形成すれば、より密閉性が向上するので好ましい。
【００２３】更に、前記蓋４の内面４１側に補強リブ４７を樹脂成形時に一体に形成すれば、補強リブ４７により蓋４の強度が増し、一般ユーザーが特別考慮することなく開閉しても損傷するこがなく、都合がよい。なお、図中３５は、前記蓋４を開閉する際に指などを挿入し、開閉をし易くするための落とし込み部である。３６は、筐体３の前記鉤状の係止部４４が対応する位置に形成された面取り部で、この面取り部３６を形成すると、前記鉤状の係止部４４が入りやすくなるので、都合がよい。
【００２４】以上のような実施の形態では、万一、筐体内３に塵埃が入り、コンタクトガラス１の内面およびセンサーや駆動機構などを清掃する場合、筐体３の前面３１に設けられた蓋４を取外し、必要に応じてコンタクトガラス１を筐体３の前記略断面コ字状の溝３２からスライドさせながら取外し、コンタクトガラス１の内面およびセンサーなどを清掃することができる。清掃終了後、前記略断面コ字状の溝３２にコンタクトガラス１をスライドさせながら挿入し、蓋４を閉めれば、簡単に三角状の突起部４２によりコンタクトガラス１のコーナー部分１１が押圧され、元の状態に復元することができる。従って、簡単に一般ユーザーが筐体内の清掃を実施することができる。また、ドライバー等の工具は一切不要である。更に、その構成は、筐体３の前面３１に蓋４を設けるのみであり、極めて簡単である。
【００２５】次に、図１１に示す本発明の他の実施の形態について説明する。図１１は、本発明の他の実施の形態による原稿読取装置の蓋に形成された弾性機能を有する突起部とコンタクトガラスのコーナー部との関係を示す図である。なお、図１１において図１乃至図１０と同じ符号を付した部分は略同一のものを示す。以下相違点を中心に説明する。
【００２６】この形態では、前述した実施形態の前記蓋４の内面４１に形成した三角状の突起部４２に換えて、前記筐体略断面コ字状の溝３２に嵌合する弾性機能を有する突起部４８を形成したものである。この弾性機能を有する突起部４８は、例えば蓋４を合成樹脂により成形する際、該部を板バネ状に形成すれば良く、このようにすれば特別な加工は必要でなくなり、都合がよい。
【００２７】この構成によれば、前述の実施の形態と同様、万一、筐体３内に塵埃が入り、コンタクトガラス１の内面およびセンサーや駆動機構などを清掃する場合、筐体１の前面に設けられた蓋４を取外し、必要に応じてコンタクトガラス１を筐体３の前記略断面コ字状の溝３３からスライドさせながら取外し、コンタクトガラス１の内面およびセンサーなどを清掃することができる。清掃終了後、前記略断面コ字状の溝３３にコンタクトガラス１をスライドさせながら挿入し、蓋４を閉めれば、簡単に弾性機能を有する突起部４８によりコンタクトガラス１のコーナー部分１１が適当な押圧力により押圧され、元の状態に復元することができる。従って、簡単に一般ユーザーが筐体内部の清掃を実施することができる。また、蓋４を閉める場合、殊更に押圧力を考慮する必要がないので、都合がよい。また、ドライバー等の工具は一切不要である。
【００２８】次に、図１２に示す本発明の更に他の実施の形態について説明する。図１２は、本発明の更に他の実施の形態による原稿読取装置に用いられる蓋の係止部の一部分を示す図である。なお、図１２において図１乃至図１１と同じ符号を付した部分は略同一のものを示す。以下相違点を中心に説明する。
【００２９】この形態では、前述した実施形態の前記蓋４の内面４１の下部に形成された弾性を備えた鉤状の係止部４４に換えて、蓋４の下部の一部を内面４１側にＶ字状に折り曲げるようにして弾性力を持たせて係止部４９を形成し、前述のものと同様に、蓋４が取外し可能に構成されている。
【００３０】従って、この構成によれば、前述した実施形態のものと同様、前記蓋４の取外しおよび取付けに特別な工具などは一切使用する必要がなく、簡単に一般ユーザーが筐体内部の清掃を実施することが出来、都合がよい。
【００３１】なお、上述した各実施の形態は、本発明の好適な実施の形態の例であるが、これに限定されるものではなく、本発明の要旨を逸脱しない範囲において、種々変形実施可能である。
【００３２】
【発明の効果】以上説明したように、請求項１記載の発明では、万一、筐体内に塵埃が入り、コンタクトガラス内面およびセンサーや駆動機構などを清掃する場合、筐体の前面に設けられた蓋を取外し、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、簡単に三角状の突起部によりコンタクトガラスのコーナー部分が押圧され、元の状態に復元することができる。従って、簡単に一般ユーザーが筐体内の清掃を実施することができる。また、その構成は、筐体前面に蓋を設けるのみであり、極めて簡単である、などという効果を奏する。
【００３３】また、請求項２記載の発明では、万一、筐体内に塵埃が入り、コンタクトガラス内面およびセンサーや駆動機構などを清掃する場合、筐体の前面に設けられた蓋を開き、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、元の状態に復元することができる。従って、簡単に一般ユーザーが筐体内の清掃を実施することができる他、その構成は、筐体前面に蓋を設けるのみであり、極めて簡単である。
【００３４】また、請求項３記載の発明では、万一、筐体内に塵埃が入り、コンタクトガラス内面およびセンサーや駆動機構などを清掃する場合、筐体の前面に設けられた蓋を取外し、必要に応じてコンタクトガラスを筐体の前記略断面コ字状の溝からスライドさせながら取外し、コンタクトガラス内面やセンサーなどを清掃することができる。清掃終了後、前記略断面コ字状の溝にコンタクトガラスをスライドさせながら挿入し、蓋を閉めれば、簡単に弾性機能を有する突起部によりコンタクトガラスのコーナー部分が適当な押圧力により押圧され、元の状態に復元することができる。従って、殊更に押圧力を考慮することなく、簡単に一般ユーザーが筐体内の清掃を実施することができる他、その構成は、筐体前面に蓋を設けるのみであり、極めて簡単である。
【００３５】また、請求項４記載の発明では、ドライバー等の工具は一切不要である外、原稿読取領域を考慮することなく筐体の内側に係止する係止部を設けることが出来、この種設計上極めて有益である。
【００３６】また、請求項５記載の発明では、補強リブにより蓋の強度が増し、一般ユーザーが特別考慮することなく開閉しても損傷するこがなく、都合がよい。
【図面の簡単な説明】
【図１】本発明の一実施の形態による原稿読取装置の概略構成を示す斜視図である。
【図２】図１示す原稿読取装置の筐体の正面図である。
【図３】同じく図１示す原稿読取装置の筐体の一部分を示す断面図である。
【図４】同じく図１示す原稿読取装置の筐体の一部分を示す斜視図である。
【図５】同じく図１示す原稿読取装置の蓋の一例を示す平面図である。
【図６】図５に示す蓋の背面図である。
【図７】同じく図５に示す蓋の側面図である。
【図８】筐体と蓋との係合部分を示す部分拡大断面図である。
【図９】筐体と蓋との係止部分を示す部分拡大断面図である。
【図１０】蓋に形成された三角状の突起部とコンタクトガラスのコーナー部との関係を示す図である。
【図１１】本発明の他の実施の形態による原稿読取装置の蓋に形成された弾性機能を有する突起部とコンタクトガラスのコーナー部との関係を示す図である。
【図１２】本発明の更に他の実施の形態による原稿読取装置に用いられる蓋の係止部の一部分を示す図である。
【符号の説明】
１    コンタクトガラス
１１  コーナー部分
２    原稿載置台
３    筐体
３１  前面
３２  側面
３３  コ字状の溝
４    蓋
４１  内面
４２  三角状の突起部
４３  係合部
４４  係止部
４６  前面
４７  補強リブ
４８  弾性機能を有する突起部
４９  係止部
【図１】
2004343185.tif 000003
【図２】
2004343185.tif 000004
【図３】
2004343185.tif 000005
【図４】
2004343185.tif 000006
【図５】
2004343185.tif 000007
【図６】
2004343185.tif 000008
【図７】
2004343185.tif 000009
【図８】
2004343185.tif 000010
【図９】
2004343185.tif 000011
【図１０】
2004343185.tif 000012
【図１１】
2004343185.tif 000013
【図１２】
2004343185.tif 000014